【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
(Ｓ)動物についての各種サービスを提供する業者(S)の使用に供され、該業者(S)に関する各種情報(SD)に関する少なくとも修正および検索についての入出力および該サービスを受ける顧客(C)に関する各種情報(CD)に関する少なくとも登録および修正についての入出力をなす業者用途端末(SN)、(Ｋ)該業者(S)に関する各種情報(SD)および顧客(C)に関する各種情報(CD)を管理する管理者(K)の使用に供され、前記業者用途端末(SN)の該業者(S)に関する各種情報(SD)および顧客(C)に関する各種情報(CD)へのアクセス制限に関するアクセス制限情報(KD)を管理すると共に、業者(S)に関する各種情報(SD)に関する少なくとも登録、修正および検索についての入出力および顧客(C)に関する各種情報(CD)に関する少なくとも登録、修正および検索ついての入出力をなす管理用途端末(KN)、(Ｄ)該業者(S)に関する各種情報(SD)、顧客(C)に関する各種情報(CD)およびアクセス制限情報(KD)を蓄積するデータベースサーバ(DBS)並びに(Ｎ)これらの間で特定回線(L)を介して、相互に該業者(S)に関する各種情報(SD)、顧客(C)に関する各種情報(CD)およびアクセス制限情報(KD)の交換をなし得るコンピュータネットワークと、
前記業者用途端末(SN)に内包される業者用途業者関連システム(SN2)、管理用途端末(KN)に内包される管理用途業者関連システム(KN2)およびデータベースサーバ(DBS)に設けられる業者情報管理データベース(DB2)から構成され、前記業者(S)に関する各種情報(SD)についての管理をなす業者情報管理機構(20)と、
前記業者用途端末(SN)に内包される業者用途顧客関連システム(SN4)、管理用途端末(KN)に内包される管理用途顧客関連システム(KN4)およびデータベースサーバ(DBS)に設けられる顧客情報管理データベース(DB4)から構成され、前記顧客(C)に関する各種情報(CD)についての管理をなす顧客情報管理機構(40)と、
前記業者用途端末(SN)に内包される業者用途管理関連システム(SN8)、管理用途端末(KN)に内包される管理用途管理関連システム(KN8)およびデータベースサーバ(DBS)に設けられるアクセス制限情報管理データベース(DB8)から構成され、前記アクセス制限情報(KD)についての管理をなす端末管理機構(80)とからなり、
前記業者情報管理機構(20)、顧客情報管理機構(40)および端末管理機構(80)で、夫々共有される前記業者(S)に関する各種情報(SD)、顧客(C)に関する各種情報(CD)およびアクセス制限情報(KD)を常に最新状態に保ち、前記顧客(C)に対して動物に関するサービス利用についての利便を図り得る有益な情報をリアルタイムに提供すると共に、業者(S)の利益向上させ、併せて管理者(K)による管理を容易かつ効率的なものとし得るよう構成した
ことを特徴とする対動物サービス提供システム。
【請求項２】
(Ｓ)動物についての各種サービスを提供する業者(S)の使用に供され、該業者(S)に関する各種情報(SD)に関する少なくとも修正および検索についての入出力および該サービスを受ける顧客(C)に関する各種情報(CD)に関する少なくとも登録および修正についての入出力をなす業者用途端末(SN)、(Ｋ)該業者(S)に関する各種情報(SD)および顧客(C)に関する各種情報(CD)を管理する管理者(K)の使用に供され、前記業者用途端末(SN)の該業者(S)に関する各種情報(SD)および顧客(C)に関する各種情報(CD)へのアクセス制限に関するアクセス制限情報(KD)を管理すると共に、業者(S)に関する各種情報(SD)に関する少なくとも登録、修正および検索についての入出力および顧客(C)に関する各種情報(CD)に関する少なくとも登録、修正および検索ついての入出力をなす管理用途端末(KN)、(Ｄ)該業者(S)に関する各種情報(SD)、顧客(C)に関する各種情報(CD)およびアクセス制限情報(KD)を蓄積するデータベースサーバ(DBS)並びに(Ｎ)これらの間で特定回線(L)を介して、相互に該業者(S)に関する各種情報(SD)、顧客(C)に関する各種情報(CD)およびアクセス制限情報(KD)の交換をなし得るコンピュータネットワークと、
前記業者(S)に関する各種情報(SD)の管理をなす業者情報管理機構(20)と、
前記顧客(C)に関する各種情報(CD)の管理をなす顧客情報管理機構(40)と、
前記アクセス制限情報(KD)についての管理をなす端末管理機構(80)とから構成され、
前記業者情報管理機構(20)は、
(１)少なくとも前記管理用途端末(KN)に内包される管理用途業者情報登録システム(KN22)およびデータベースサーバ(DBS)に設けられる業者情報登録データベース(DB22)から構成され、前記業者(S)に関する各種情報(SD)に関する登録の管理をなす業者情報登録機構(22)と、
(２)前記業者用途端末(SN)に内包される業者用途業者情報修正システム(SN24)、管理用途端末(KN)に内包される管理用途業者情報修正システム(KN24)およびデータベースサーバ(DBS)に設けられる業者情報修正データベース(DB24)から構成され、前記業者(S)に関する各種情報(SD)に関する修正の管理をなす業者情報修正機構(24)と、
(３)前記業者用途端末(SN)に内包される業者用途業者情報検索システム(SN26)、管理用途端末(KN)に内包される管理用途業者情報検索システム(KN26)およびデータベースサーバ(DBS)に設けられる業者情報検索データベース(DB26)から構成され、前記業者(S)に関する各種情報(SD)に関する検索の管理をなす業者情報検索機構(26)とからなり、
前記顧客情報管理機構(40)は、
(４)前記業者用途端末(SN)に内包される業者用途顧客情報登録システム(SN42)、管理用途端末(KN)に内包される管理用途顧客情報登録システム(KN42)およびデータベースサーバ(DBS)に設けられる顧客情報登録データベース(DB42)から構成され、前記顧客(C)に関する各種情報(CD)に関する登録の管理をなす顧客情報登録機構(42)と、
(５)前記業者用途端末(SN)に内包される業者用途顧客情報修正システム(SN44)、管理用途端末(KN)に内包される管理用途顧客情報修正システム(KN44)およびデータベースサーバ(DBS)に設けられる業者情報修正データベース(DB24)から構成され、前記顧客(C)に関する各種情報(CD)に関する修正の管理をなす顧客情報修正機構(44)と、
(６)少なくとも前記管理用途端末(KN)に内包される管理用途顧客情報検索システム(KN46)およびデータベースサーバ(DBS)に設けられる顧客情報検索データベース(DB46)から構成され、前記顧客(C)に関する各種情報(CD)に関する検索の管理をなす顧客情報検索機構(46)とからなり、
前記端末管理機構(80)は、
(７)前記業者用途端末(SN)に内包される業者用途端末管理システム(SN82)、管理用途端末(KN)に内包される管理用業者用途端末管理システム(KN82)およびデータベースサーバ(DBS)に設けられる業者用途端末アクセス制限情報管理データベース(DB82)から構成され、前記アクセス制限情報(KD)についての管理をなす業者用途端末管理機構(82)を備え、
前記業者情報管理機構(20)、顧客情報管理機構(40)および端末管理機構(80)で、夫々共有される前記業者(S)に関する各種情報(SD)、顧客(C)に関する各種情報(CD)およびアクセス制限情報(KD)を常に最新状態に保ち、前記顧客(C)に対して動物に関するサービス利用についての利便を図り得る有益な情報をリアルタイムに提供すると共に、業者(S)の利益向上させ、併せて管理者(K)による管理を容易かつ効率的なものとし得るよう構成した
ことを特徴とする対動物サービス提供システム。
【請求項３】
(Ｓ)動物についての各種サービスを提供する業者(S)の使用に供され、該業者(S)に関する各種情報(SD)に関する少なくとも修正および検索について入出力および該サービスを受ける顧客(C)に関する各種情報(CD)に関する少なくとも登録および修正についての入出力をなす業者用途端末(SN)、(Ｃ)該顧客(C)の使用に供され、該業者(S)に関する各種情報(SD)に関する少なくとも検索についての入出力および顧客(C)に関する各種情報(CD)に関する少なくとも修正についての入出力をなす顧客用途端末(CN)、(Ｋ)該業者(S)に関する各種情報(SD)および顧客(C)に関する各種情報(CD)を管理する管理者(K)の使用に供され、前記業者用途端末(SN)および／または顧客用途端末(CN)の該業者(S)に関する各種情報(SD)および顧客(C)に関する各種情報(CD)へのアクセス制限に関するアクセス制限情報(KD)を管理すると共に、業者(S)に関する各種情報(SD)に関する少なくとも登録、修正および検索についての入出力および顧客(C)に関する各種情報(CD)に関する少なくとも登録、修正および検索ついての入出力をなす管理用途端末(KN)、(Ｄ)該業者(S)に関する各種情報(SD)、顧客(C)に関する各種情報(CD)およびアクセス制限情報(KD)を蓄積するデータベースサーバ(DBS)並びに(Ｎ)これらの間で特定回線(L)を介して相互に、該業者(S)に関する各種情報(SD)、顧客(C)に関する各種情報(CD)およびアクセス制限情報(KD)の交換をなし得るコンピュータネットワークと、
前記業者用途端末(SN)に内包される業者用途業者関連システム(SN2)、顧客用途端末(CN)に内包される顧客用途業者関連システム(CN2)、管理用途端末(KN)に内包される管理用途業者関連システム(KN2)およびデータベースサーバ(DBS)に設けられる業者情報管理データベース(DB2)から構成され、前記業者(S)に関する各種情報(SD)についての管理をなす業者情報管理機構(20)と、
前記業者用途端末(SN)に内包される業者用途顧客関連システム(SN4)、顧客用途端末(CN)に内包される顧客用途顧客関連システム(CN4)、管理用途端末(KN)に内包される管理用途顧客関連システム(KN4)およびデータベースサーバ(DBS)に設けられる顧客情報管理データベース(DB4)から構成され、前記顧客(C)に関する各種情報(CD)についての管理をなす顧客情報管理機構(40)と、
前記業者用途端末(SN)に内包される業者用途管理関連システム(SN8)および／または顧客用途端末(CN)に内包される顧客用途管理関連システム(CN8)、管理用途端末(KN)に内包される管理用途管理関連システム(KN8)並びにデータベースサーバ(DBS)に設けられるアクセス制限情報管理データベース(DB8)から構成され、前記アクセス制限情報(KD)についての管理をなす端末管理機構(80)とからなり、
前記業者情報管理機構(20)、顧客情報管理機構(40)および端末管理機構(80)で、夫々共有される前記業者(S)に関する各種情報(SD)、顧客(C)に関する各種情報(CD)およびアクセス制限情報(KD)を常に最新状態に保ち、前記顧客(C)に対して動物に関するサービス利用についての利便を図り得る有益な情報をリアルタイムに提供すると共に、業者(S)の利益向上させ、併せて前記管理者(K)による管理を容易かつ効率的なものとし得るよう構成した
ことを特徴とする対動物サービス提供システム。
【請求項４】
(Ｓ)動物についての各種サービスを提供する業者(S)の使用に供され、該業者(S)に関する各種情報(SD)に関する少なくとも修正および検索について入出力および該サービスを受ける顧客(C)に関する各種情報(CD)に関する少なくとも登録および修正についての入出力をなす業者用途端末(SN)、(Ｃ)該顧客(C)の使用に供され、該業者(S)に関する各種情報(SD)に関する少なくとも検索についての入出力および顧客(C)に関する各種情報(CD)に関する少なくとも修正についての入出力をなす顧客用途端末(CN)、(Ｋ)該業者(S)に関する各種情報(SD)および顧客(C)に関する各種情報(CD)を管理する管理者(K)の使用に供され、前記業者用途端末(SN)および／または顧客用途端末(CN)の該業者(S)に関する各種情報(SD)および顧客(C)に関する各種情報(CD)へのアクセス制限に関するアクセス制限情報(KD)を管理すると共に、業者(S)に関する各種情報(SD)に関する少なくとも登録、修正および検索についての入出力および顧客(C)に関する各種情報(CD)に関する少なくとも登録、修正および検索ついての入出力をなす管理用途端末(KN)、(Ｄ)該業者(S)に関する各種情報(SD)、顧客(C)に関する各種情報(CD)およびアクセス制限情報(KD)を蓄積するデータベースサーバ(DBS)並びに(Ｎ)これらの間で特定回線(L)を介して相互に、該業者(S)に関する各種情報(SD)、顧客(C)に関する各種情報(CD)およびアクセス制限情報(KD)の交換をなし得るコンピュータネットワークと、
前記業者(S)に関する各種情報(SD)の管理をなす業者情報管理機構(20)と、
前記顧客(C)に関する各種情報(CD)の管理をなす顧客情報管理機構(40)と、
前記アクセス制限情報(KD)についての制御をなす端末管理機構(80)とから構成され、
前記業者情報管理機構(20)は、
(１)少なくとも前記管理用途端末(KN)に内包される管理用途業者情報登録システム(KN22)およびデータベースサーバ(DBS)に設けられる業者情報登録データベース(DB22)から構成され、前記業者(S)に関する各種情報(SD)に関する登録についての管理をなす業者情報登録機構(22)と、
(２)少なくとも前記業者用途端末(SN)に内包される業者用途業者情報修正システム(SN24)、管理用途端末(KN)に内包される管理用途業者情報修正システム(KN24)およびデータベースサーバ(DBS)に設けられる業者情報修正データベース(DB24)から構成され、前記業者(S)に関する各種情報(SD)に関する修正についての管理をなす業者情報修正機構(24)と、
(３)前記業者用途端末(SN)に内包される業者用途業者情報検索システム(SN26)、顧客用途端末(CN)に内包される顧客用途業者情報検索システム(CN26)、管理用途端末(KN)に内包される管理用途業者情報検索システム(KN26)およびデータベースサーバ(DBS)に設けられる業者情報検索データベース(DB26)から構成され、前記業者(S)に関する各種情報(SD)に関する検索についての管理をなす業者情報検索機構(26)とからなり、
前記顧客情報管理機構(40)は、
(４)少なくとも前記業者用途端末(SN)に内包される業者用途顧客情報登録システム(SN42)、管理用途端末(KN)に内包される管理用途顧客情報登録システム(KN42)およびデータベースサーバ(DBS)に設けられる顧客情報登録データベース(DB42)から構成され、前記顧客(C)に関する各種情報(CD)に関する登録についての管理をなす顧客情報登録機構(42)と、
(５)前記業者用途端末(SN)に内包される業者用途顧客情報修正システム(SN44)、顧客用途端末(CN)に内包される顧客用途顧客情報修正システム(CN44)、管理用途端末(KN)に内包される管理用途顧客情報修正システム(KN44)およびデータベースサーバ(DBS)に設けられる業者情報修正データベース(DB24)から構成され、前記顧客(C)に関する各種情報(CD)に関する修正についての管理をなす顧客情報修正機構(44)と、
(６)少なくとも前記管理用途端末(KN)に内包される管理用途顧客情報検索システム(KN46)およびデータベースサーバ(DBS)に設けられる顧客情報検索データベース(DB46)から構成され、前記顧客(C)に関する各種情報(CD)に関する検索についての管理をなす顧客情報検索機構(46)とからなり、
前記端末管理機構(80)は、
(７)前記業者用途端末(SN)に内包される業者用途端末管理システム(SN82)、管理用途端末(KN)に内包される管理用業者用途端末管理システム(KN82)およびデータベースサーバ(DBS)に設けられる業者用途端末アクセス制限情報管理データベース(DB82)から構成され、該業者用途端末(SN)に関するアクセス制限情報(KD)についての管理をなす業者用途端末管理機構(82)並びに／或いは(８)前記顧客用途端末(CN)に内包される顧客用途端末管理システム(CN84)、管理用途端末(KN)に内包される管理用顧客用途端末管理システム(KN84)およびデータベースサーバ(DBS)に設けられる顧客用途端末アクセス制限情報管理データベース(DB84)から構成され、該顧客用途端末(CN)に関するアクセス制限情報(KD)についての管理をなす顧客用途端末管理機構(84)からなり、
前記業者情報管理機構(20)、顧客情報管理機構(40)および端末管理機構(80)で、夫々共有される前記業者(S)に関する各種情報(SD)、顧客(C)に関する各種情報(CD)およびアクセス制限情報(KD)を常に最新状態に保ち、前記顧客(C)に対して動物に関するサービス利用についての利便を図り得る有益な情報をリアルタイムに提供すると共に、業者(S)の利益向上させ、併せて前記管理者(K)による管理を容易かつ効率的なものとし得るよう構成した
ことを特徴とする対動物サービス提供システム。
【請求項５】
(Ｓ)動物についての各種サービスを提供する業者(S)の使用に供され、該業者(S)に関する各種情報(SD)に関する少なくとも修正および検索についての入出力および該サービスを受ける顧客(C)に関する各種情報(CD)に関する少なくとも登録および検索についての入出力をなす業者用途端末(SN)、(Ｋ)該業者(S)に関する各種情報(SD)および顧客(C)に関する各種情報(CD)を管理する管理者(K)の使用に供され、前記業者用途端末(SN)の該業者(S)に関する各種情報(SD)および顧客(C)に関する各種情報(CD)へのアクセス制限に関するアクセス制限情報(KD)を管理すると共に、業者(S)に関する各種情報(SD)に関する少なくとも登録、修正および検索についての入出力および顧客(C)に関する各種情報(CD)に関する少なくとも登録、修正および検索ついての入出力をなす管理用途端末(KN)、(Ｄ)該業者(S)に関する各種情報(SD)、顧客(C)に関する各種情報(CD)およびアクセス制限情報(KD)を蓄積するデータベースサーバ(DBS)並びに(Ｎ)これらの間で特定回線(L)を介して相互に、該業者(S)に関する各種情報(SD)、顧客(C)に関する各種情報(CD)およびアクセス制限情報(KD)の交換をなし得るコンピュータネットワークを使用し、
前記業者用途端末(SN)に内包される業者用途業者関連システム(SN2)または管理用途端末(KN)に内包される管理用途業者関連システム(KN2)の何れかを介して、データベースサーバ(DBS)に設けられる業者情報管理データベース(DB2)に、業者(S)に関する各種情報(SD)を入力・蓄積すると共に、必要に応じて該業者用途業者関連システム(SN2)または管理用途業者関連システム(KN2)を介して夫々の入力元である該業者用途端末(SN)または管理用途端末(KN)に確認出力可能とすることで、該業者(S)に関する各種情報(SD)の管理をなし、リアルタイムに共有し得るようにした業者情報管理工程(S2)と、
前記業者用途端末(SN)に内包される業者用途顧客関連システム(SN4)または管理用途端末(KN)に内包される管理用途顧客関連システム(KN4)の何れかを介して、データベースサーバ(DBS)に設けられる顧客情報管理データベース(DB4)に、顧客(C)に関する各種情報(CD)を入力・蓄積すると共に、必要に応じて該業者用途顧客関連システム(SN4)または管理用途顧客関連システム(KN4)を介して夫々の入力元である該業者用途端末(SN)または管理用途端末(KN)へ確認出力可能とすることで、該顧客(C)に関する各種情報(CD)の管理をなし、リアルタイムに共有し得るようにした顧客情報管理工程(S4)と、
前記管理用途端末(KN)に内包される管理用途管理関連システム(KN8)を介して、データベースサーバ(DBS)に設けられるアクセス制限情報管理データベース(DB8)に、業者用途端末(SN)に関するアクセス制限情報(KD)の入力・蓄積し、必要に応じて該管理用途管理関連システム(KN8)を介して管理用途端末(KN)へ確認出力可能とすると共に、業者用途端末(SN)に内包される業者用途管理関連システム(SN8)を介することで、該アクセス制限情報(KD)の管理をなし、リアルタイムに管理し得るようにしたアクセス制限情報管理工程(S8)とを、必要に応じて並列的に実行することで、
前記コンピュータネットワークを介して、前記データベースサーバ(DBS)内に蓄積される業者(S)に関する各種情報(SD)、顧客(C)に関する各種情報(CD)およびアクセス制限情報(KD)を連携的に処理し、顧客(C)の対動物に係るサービス利用についての利便を図ると共に、業者(S)の利益向上をなし、併せて管理者(K)による管理を容易かつ効率的かつ効率的になし得る
ことを特徴とする対動物サービス提供方法。
【請求項６】
(Ｓ)動物についての各種サービスを提供する業者(S)の使用に供され、該業者(S)に関する各種情報(SD)に関する少なくとも修正および検索についての入出力および該サービスを受ける顧客(C)に関する各種情報(CD)に関する少なくとも登録および検索についての入出力をなす業者用途端末(SN)、(Ｋ)該業者(S)に関する各種情報(SD)および顧客(C)に関する各種情報(CD)を管理する管理者(K)の使用に供され、前記業者用途端末(SN)の該業者(S)に関する各種情報(SD)および顧客(C)に関する各種情報(CD)へのアクセス制限に関するアクセス制限情報(KD)を管理すると共に、業者(S)に関する各種情報(SD)に関する少なくとも登録、修正および検索についての入出力および顧客(C)に関する各種情報(CD)に関する少なくとも登録、修正および検索ついての入出力をなす管理用途端末(KN)、(Ｄ)該業者(S)に関する各種情報(SD)、顧客(C)に関する各種情報(CD)およびアクセス制限情報(KD)を蓄積するデータベースサーバ(DBS)並びに(Ｎ)これらの間で特定回線(L)を介して相互に、該業者(S)に関する各種情報(SD)、顧客(C)に関する各種情報(CD)およびアクセス制限情報(KD)の交換をなし得るコンピュータネットワークを使用し、
(１)少なくとも前記管理用途端末(KN)に内包される管理用途業者情報登録システム(KN22)を介して、データベースサーバ(DBS)に設けられる業者情報登録データベース(DB22)に、業者(S)に関する各種情報(SD)に関する登録内容を入力・蓄積すると共に、必要に応じて該管理用途業者情報登録システム(KN22)を介して該管理用途端末(KN)に確認出力可能とすることで、該業者(S)に関する各種情報(SD)に関する登録の管理をなし、リアルタイムに共有し得るようにした業者情報管理工程(S2)と、
(２)前記業者用途端末(SN)に内包される業者用途業者情報修正システム(SN24)または管理用途端末(KN)に内包される管理用途業者情報修正システム(KN24)の何れかを介して、データベースサーバ(DBS)に設けられる業者情報修正データベース(DB24)に、業者(S)に関する各種情報(SD)に関する修正内容を入力・蓄積すると共に、必要に応じて該業者用途業者情報修正システム(SN24)または管理用途業者情報修正システム(KN24)を介して夫々の入力元である該業者用途端末(SN)または管理用途端末(KN)へ確認出力可能とすることで、該業者(S)に関する各種情報(SD)に関する修正の管理をなし、修正内容をリアルタイムに共有し得るようにした業者情報修正工程(S24)と、
(３)前記業者用途端末(SN)に内包される業者用途業者情報検索システム(SN26)または管理用途端末(KN)に内包される管理用途業者情報検索システム(KN26)を介して、データベースサーバ(DBS)に設けられる業者情報検索データベース(DB26)に、業者(S)に関する各種情報(SD)に関する検索内容を入力・蓄積すると共に、その結果を該業者用途業者情報検索システム(SN26)または管理用途業者情報検索システム(KN26)を介して夫々の入力元である該業者用途端末(SN)または管理用途端末(KN)へ確認出力可能とすることで、該業者(S)に関する各種情報(SD)に関する検索の管理をなし、検索内容をリアルタイムに共有し得るようにした業者情報検索工程(S26)と、
(４)前記業者用途端末(SN)に内包される業者用途顧客情報登録システム(SN42)または管理用途端末(KN)に内包される管理用途顧客情報登録システム(KN42)を介して、データベースサーバ(DBS)に設けられる顧客情報登録データベース(DB42)に、顧客(C)に関する各種情報(CD)に関する登録内容を入力・蓄積すると共に、必要に応じて該業者用途顧客情報登録システム(SN42)または管理用途顧客情報登録システム(KN42)を介して夫々の入力元である該業者用途端末(SN)または管理用途端末(KN)へ確認出力可能とすることで、該顧客(C)に関する各種情報(CD)に関する登録の管理をなし、登録内容をリアルタイムに共有し得るようにした顧客情報登録工程(S42)と、
(５)前記業者用途端末(SN)に内包される業者用途顧客情報修正システム(SN44)または管理用途端末(KN)に内包される管理用途顧客情報修正システム(KN44)を介して、データベースサーバ(DBS)に設けられる顧客情報修正データベース(DB44)に、顧客(C)に関する各種情報(CD)に関する修正内容を入力・蓄積すると共に、必要に応じて該業者用途顧客情報修正システム(SN44)または管理用途顧客情報修正システム(KN44)を介して夫々の入力元である該業者用途端末(SN)または管理用途端末(KN)へ確認出力可能とすることで、該顧客(C)に関する各種情報(CD)に関する修正の管理をなし、修正内容をリアルタイムに共有し得るようにした顧客情報修正工程(S44)と、
(６)少なくとも前記管理用途端末(KN)に内包される管理用途顧客情報検索システム(KN46)を介して、データベースサーバ(DBS)に設けられる顧客情報検索データベース(DB46)に、顧客(C)に関する各種情報(CD)に関する検索内容を入力・蓄積すると共に、その結果を該管理用途顧客情報検索システム(KN46)を介して該管理用途端末(KN)へ確認出力可能とすることで、該顧客(C)に関する各種情報(CD)に関する検索の管理をなし、検索内容をリアルタイムに共有し得るようにした顧客情報検索工程(S46)と、
(７)前記管理用途端末(KN)に内包される管理用業者用途端末管理システム(KN82)を介して、データベースサーバ(DBS)に設けられる業者用途端末アクセス制限情報管理データベース(DB82)に、業者用途端末(SN)に関するアクセス制限情報(KD)を入力・蓄積し、必要に応じて該管理用業者用途端末管理システム(KN82)を介して該管理用途端末(KN)へ確認出力可能とすると共に、該業者用途端末(SN)に内包される業者用途端末管理システム(SN82)を介することで、該アクセス制限情報(KD)の管理をなし、リアルタイムに共有し得るようにした業者用途端末アクセス制限情報管理工程(S82)とを、必要に応じて並列的に実行することで、
前記コンピュータネットワークを介して、前記データベースサーバ(DBS)内に蓄積される業者(S)に関する各種情報(SD)、顧客(C)に関する各種情報(CD)およびアクセス制限情報(KD)を連携的に処理し、顧客(C)の対動物に係るサービス利用についての利便を図ると共に、業者(S)の利益向上をなし、併せて管理者(K)による管理を容易かつ効率的かつ効率的になし得る
ことを特徴とする対動物サービス提供方法。
【請求項７】
(Ｓ)動物についての各種サービスを提供する業者(S)の使用に供され、該業者(S)に関する各種情報(SD)に関する少なくとも修正および検索についての入出力および該サービスを受ける顧客(C)に関する各種情報(CD)に関する少なくとも登録および検索についての入出力をなす業者用途端末(SN)、(Ｃ)該顧客(C)の使用に供され、該業者(S)に関する各種情報(SD)に関する少なくとも検索についての入出力および顧客(C)に関する各種情報(CD)に関する少なくとも修正についての入出力をなす顧客用途端末(CN)、(Ｋ)該業者(S)に関する各種情報(SD)および顧客(C)に関する各種情報(CD)を管理する管理者(K)の使用に供され、前記業者用途端末(SN)および／または顧客用途端末(CN)の該業者(S)に関する各種情報(SD)および顧客(C)に関する各種情報(CD)へのアクセス制限に関するアクセス制限情報(KD)を管理すると共に、業者(S)に関する各種情報(SD)に関する少なくとも登録、修正および検索についての入出力および顧客(C)に関する各種情報(CD)に関する少なくとも登録、修正および検索ついての入出力をなす管理用途端末(KN)、(Ｄ)該業者(S)に関する各種情報(SD)、顧客(C)に関する各種情報(CD)およびアクセス制限情報(KD)を蓄積するデータベースサーバ(DBS)並びに(Ｎ)これらの間で特定回線(L)を介して相互に、該業者(S)に関する各種情報(SD)、顧客(C)に関する各種情報(CD)およびアクセス制限情報(KD)の交換をなし得るコンピュータネットワークを使用し、
前記業者用途端末(SN)に内包される業者用途業者関連システム(SN2)、顧客用途端末(CN)に内包される顧客用途業者関連システム(CN2)または管理用途端末(KN)に内包される管理用途業者関連システム(KN2)の何れかを介して、データベースサーバ(DBS)に設けられる業者情報管理データベース(DB2)に、業者(S)に関する各種情報(SD)を入力・蓄積すると共に、必要に応じて該業者用途業者関連システム(SN2)、顧客用途業者関連システム(CN2)または管理用途業者関連システム(KN2)を介して夫々の入力元である該業者用途端末(SN)、顧客用途端末(CN)または管理用途端末(KN)に確認出力可能とすることで、該業者(S)に関する各種情報(SD)の管理をなし、リアルタイムに共有し得るようにした業者情報管理工程(S2)と、
前記業者用途端末(SN)に内包される業者用途顧客関連システム(SN4)、顧客用途端末(CN)に内包される顧客用途顧客関連システム(CN4)または管理用途端末(KN)に内包される管理用途顧客関連システム(KN4)の何れかを介して、データベースサーバ(DBS)に設けられる顧客情報管理データベース(DB4)に、顧客(C)に関する各種情報(CD)を入力・蓄積すると共に、必要に応じて該業者用途顧客関連システム(SN4)、顧客用途顧客関連システム(CN4)または管理用途顧客関連システム(KN4)を介して夫々の入力元である該業者用途端末(SN)、顧客用途端末(CN)または管理用途端末(KN)へ確認出力可能とすることで、該顧客(C)に関する各種情報(CD)の管理をなし、リアルタイムに共有し得るようにした顧客情報管理工程(S4)と、
前記管理用途端末(KN)に内包される管理用途管理関連システム(KN8)を介して、データベースサーバ(DBS)に設けられるアクセス制限情報管理データベース(DB8)に、前記業者用途端末(SN)および／または顧客用途端末(CN)に関するアクセス制限情報(KD)の入力・蓄積し、必要に応じて該管理用途管理関連システム(KN8)を介して管理用途端末(KN)へ確認出力可能とすると共に、該業者用途端末(SN)に内包される業者用途管理関連システム(SN8)または顧客用途端末(CN)に内包される顧客用途管理関連システム(CN8)を介することで、該アクセス制限情報(KD)の管理をなし、リアルタイムに管理し得るようにしたアクセス制限情報管理工程(S8)とを、必要に応じて並列的に実行することで、
前記コンピュータネットワークを介して、前記データベースサーバ(DBS)内に蓄積される業者(S)に関する各種情報(SD)、顧客(C)に関する各種情報(CD)およびアクセス制限情報(KD)を連携的に処理し、顧客(C)の対動物に係るサービス利用についての利便を図ると共に、業者(S)の利益向上をなし、併せて管理者(K)による管理を容易かつ効率的かつ効率的になし得る
ことを特徴とする対動物サービス提供方法。
【請求項８】
(Ｓ)動物についての各種サービスを提供する業者(S)の使用に供され、該業者(S)に関する各種情報(SD)に関する少なくとも修正および検索についての入出力および該サービスを受ける顧客(C)に関する各種情報(CD)に関する少なくとも登録および検索についての入出力をなす業者用途端末(SN)、(Ｃ)該顧客(C)の使用に供され、該業者(S)に関する各種情報(SD)に関する少なくとも検索についての入出力および顧客(C)に関する各種情報(CD)に関する少なくとも修正についての入出力をなす顧客用途端末(CN)、(Ｋ)該業者(S)に関する各種情報(SD)および顧客(C)に関する各種情報(CD)を管理する管理者(K)の使用に供され、前記業者用途端末(SN)および／または顧客用途端末(CN)の該業者(S)に関する各種情報(SD)および顧客(C)に関する各種情報(CD)へのアクセス制限に関するアクセス制限情報(KD)を管理すると共に、業者(S)に関する各種情報(SD)に関する少なくとも登録、修正および検索についての入出力および顧客(C)に関する各種情報(CD)に関する少なくとも登録、修正および検索ついての入出力をなす管理用途端末(KN)、(Ｄ)該業者(S)に関する各種情報(SD)、顧客(C)に関する各種情報(CD)およびアクセス制限情報(KD)を蓄積するデータベースサーバ(DBS)並びに(Ｎ)これらの間で特定回線(L)を介して相互に、該業者(S)に関する各種情報(SD)、顧客(C)に関する各種情報(CD)およびアクセス制限情報(KD)の交換をなし得るコンピュータネットワークを使用し、
(１)少なくとも前記管理用途端末(KN)に内包される管理用途業者情報登録システム(KN22)を介して、データベースサーバ(DBS)に設けられる業者情報登録データベース(DB22)に、業者(S)に関する各種情報(SD)に関する登録内容を入力・蓄積すると共に、必要に応じて該管理用途業者情報登録システム(KN22)を介して該管理用途端末(KN)に確認出力可能とすることで、該業者(S)に関する各種情報(SD)に関する登録の管理をなし、リアルタイムに共有し得るようにした業者情報登録工程(S22)と、
(２)少なくとも前記業者用途端末(SN)に内包される業者用途業者情報修正システム(SN24)または管理用途端末(KN)に内包される管理用途業者情報修正システム(KN24)の何れかを介して、データベースサーバ(DBS)に設けられる業者情報修正データベース(DB24)に、業者(S)に関する各種情報(SD)に関する修正内容を入力・蓄積すると共に、必要に応じて該業者用途業者情報修正システム(SN24)または管理用途業者情報修正システム(KN24)を介して夫々の入力元である該業者用途端末(SN)または管理用途端末(KN)へ確認出力可能とすることで、該業者(S)に関する各種情報(SD)に関する修正の管理をなし、修正内容をリアルタイムに共有し得るようにした業者情報修正工程(S24)と、
(３)前記業者用途端末(SN)に内包される業者用途業者情報検索システム(SN26)、顧客用途端末(CN)に内包される顧客用途業者情報検索システム(CN26)または管理用途端末(KN)に内包される管理用途業者情報検索システム(KN26)を介して、データベースサーバ(DBS)に設けられる業者情報検索データベース(DB26)に、業者(S)に関する各種情報(SD)に関する検索内容を入力・蓄積すると共に、その結果を該業者用途業者情報検索システム(SN26)、顧客用途業者情報検索システム(CN26)または管理用途業者情報検索システム(KN26)を介して夫々の入力元である該業者用途端末(SN)、顧客用途端末(CN)または管理用途端末(KN)へ確認出力可能とすることで、該業者(S)に関する各種情報(SD)に関する検索の管理をなし、検索内容をリアルタイムに共有し得るようにした業者情報検索工程(S26)と、
(４)少なくとも前記業者用途端末(SN)に内包される業者用途顧客情報登録システム(SN42)または管理用途端末(KN)に内包される管理用途顧客情報登録システム(KN42)を介して、データベースサーバ(DBS)に設けられる顧客情報登録データベース(DB42)に、顧客(C)に関する各種情報(CD)に関する登録内容を入力・蓄積すると共に、必要に応じて該業者用途顧客情報登録システム(SN42)または管理用途顧客情報登録システム(KN42)を介して夫々の入力元である該業者用途端末(SN)または管理用途端末(KN)へ確認出力可能とすることで、該顧客(C)に関する各種情報(CD)に関する登録の管理をなし、登録内容をリアルタイムに共有し得るようにした顧客情報登録工程(S42)と、
(５)前記業者用途端末(SN)に内包される業者用途顧客情報修正システム(SN44)、顧客用途端末(CN)に内包される顧客用途顧客情報修正システム(CN44)または管理用途端末(KN)に内包される管理用途顧客情報修正システム(KN44)を介して、データベースサーバ(DBS)に設けられる顧客情報修正データベース(DB44)に、顧客(C)に関する各種情報(CD)に関する修正内容を入力・蓄積すると共に、必要に応じて該業者用途顧客情報修正システム(SN44)、顧客用途顧客情報修正システム(CN44)または管理用途顧客情報修正システム(KN44)を介して夫々の入力元である該業者用途端末(SN)、顧客用途端末(CN)または管理用途端末(KN)へ確認出力可能とすることで、該顧客(C)に関する各種情報(CD)に関する修正の管理をなし、修正内容をリアルタイムに共有し得るようにした顧客情報修正工程(S44)と、
(６)少なくとも前記管理用途端末(KN)に内包される管理用途顧客情報検索システム(KN46)を介して、データベースサーバ(DBS)に設けられる顧客情報検索データベース(DB46)に、顧客(C)に関する各種情報(CD)に関する検索内容を入力・蓄積すると共に、その結果を該管理用途顧客情報検索システム(KN46)を介して該管理用途端末(KN)へ確認出力可能とすることで、該顧客(C)に関する各種情報(CD)に関する検索の管理をなし、検索内容をリアルタイムに共有し得るようにした顧客情報検索工程(S46)と、
(７)前記管理用途端末(KN)に内包される管理用業者用途端末管理システム(KN82)を介して、データベースサーバ(DBS)に設けられる業者用途端末アクセス制限情報管理データベース(DB82)に、業者用途端末(SN)に関するアクセス制限情報(KD)を入力・蓄積し、必要に応じて該管理用業者用途端末管理システム(KN82)を介して該管理用途端末(KN)へ確認出力可能とすると共に、該業者用途端末(SN)に内包される業者用途端末管理システム(SN82)を介することで、該業者用途端末(SN)に関するアクセス制限情報(KD)の管理をなし、リアルタイムに共有し得るようにした業者用途端末アクセス制限情報管理工程(S82)並びに／或いは(８)前記管理用途端末(KN)に内包される管理用顧客用途端末管理システム(KN84)を介して、データベースサーバ(DBS)に設けられる顧客用途端末アクセス制限情報管理データベース(DB84)に、顧客用途端末(CN)に関するアクセス制限情報(KD)を入力・蓄積し、必要に応じて該管理用顧客用途端末管理システム(KN84)を介して該管理用途端末(KN)へ確認出力可能とすると共に、該顧客用途端末(CN)に内包される顧客用途端末管理システム(CN84)を介することで、該顧客用途端末(CN)に関するアクセス制限情報(KD)の管理をなし、リアルタイムに共有し得るようにした顧客用途端末アクセス制限情報管理工程(S84)とを、必要に応じて並列的に実行することで、
前記コンピュータネットワークを介して、前記データベースサーバ(DBS)内に蓄積される業者(S)に関する各種情報(SD)、顧客(C)に関する各種情報(CD)およびアクセス制限情報(KD)を連携的に処理し、顧客(C)の対動物に係るサービス利用についての利便を図ると共に、業者(S)の利益向上をなし、併せて管理者(K)による管理を容易かつ効率的かつ効率的になし得る
ことを特徴とする対動物サービス提供方法。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】変更
【補正の内容】
【００３４】
前記課題を克服し、所期の目的を達成するため、請求項１に記載の発明は、
動物についての各種サービスを提供する業者の使用に供され、該業者に関する各種情報に関する少なくとも修正および検索についての入出力および該サービスを受ける顧客に関する各種情報に関する少なくとも登録および修正についての入出力をなす業者用途端末、該業者に関する各種情報および顧客に関する各種情報を管理する管理者の使用に供され、前記業者用途端末の該業者に関する各種情報および顧客に関する各種情報へのアクセス制限に関するアクセス制限情報を管理すると共に、業者に関する各種情報に関する少なくとも登録、修正および検索についての入出力および顧客に関する各種情報に関する少なくとも登録、修正および検索ついての入出力をなす管理用途端末、該業者に関する各種情報、顧客に関する各種情報およびアクセス制限情報を蓄積するデータベースサーバ並びにこれらの間で特定回線を介して、相互に該業者に関する各種情報、顧客に関する各種情報およびアクセス制限情報の交換をなし得るコンピュータネットワークと、
前記業者用途端末に内包される業者用途業者関連システム、管理用途端末に内包される管理用途業者関連システムおよびデータベースサーバに設けられる業者情報管理データベースから構成され、前記業者に関する各種情報についての管理をなす業者情報管理機構と、
前記業者用途端末に内包される業者用途顧客関連システム、管理用途端末に内包される管理用途顧客関連システムおよびデータベースサーバに設けられる顧客情報管理データベースから構成され、前記顧客に関する各種情報についての管理をなす顧客情報管理機構と、
前記業者用途端末に内包される業者用途管理関連システム、管理用途端末に内包される管理用途管理関連システムおよびデータベースサーバに設けられるアクセス制限情報管理データベースから構成され、前記アクセス制限情報についての管理をなす端末管理機構とからなり、
前記業者情報管理機構、顧客情報管理機構および端末管理機構で、夫々共有される前記業者に関する各種情報、顧客に関する各種情報およびアクセス制限情報を常に最新状態に保つようにしたことを要旨とする。
【手続補正２７】
【補正対象書類名】明細書
【補正対象項目名】００３５
【補正方法】変更
【補正の内容】
【００３５】
従って、請求項１に係る発明によれば、あらゆる動物に関するサービス利用についての利便を図り得る有益な情報を、総合的にかつリアルタイムに顧客に提供することができる。また本発明に係る対動物サービス適用システムを利用することで、顧客による業者の利用が促進されるので、該業者は利益向上をなし得る。更に、管理者による統合的な管理により、効率的な運用が可能となる。
【手続補正２８】
【補正対象書類名】明細書
【補正対象項目名】００３６
【補正方法】変更
【補正の内容】
【００３６】
前記課題を克服し、所期の目的を達成するため、請求項２に記載の発明は、
動物についての各種サービスを提供する業者の使用に供され、該業者に関する各種情報に関する少なくとも修正および検索についての入出力および該サービスを受ける顧客に関する各種情報に関する少なくとも登録および修正についての入出力をなす業者用途端末、該業者に関する各種情報および顧客に関する各種情報を管理する管理者の使用に供され、前記業者用途端末の該業者に関する各種情報および顧客に関する各種情報へのアクセス制限に関するアクセス制限情報を管理すると共に、業者に関する各種情報に関する少なくとも登録、修正および検索についての入出力および顧客に関する各種情報に関する少なくとも登録、修正および検索ついての入出力をなす管理用途端末、該業者に関する各種情報、顧客に関する各種情報およびアクセス制限情報を蓄積するデータベースサーバ並びにこれらの間で特定回線を介して、相互に該業者に関する各種情報、顧客に関する各種情報およびアクセス制限情報の交換をなし得るコンピュータネットワークと、
前記業者に関する各種情報の管理をなす業者情報管理機構と、
前記顧客に関する各種情報の管理をなす顧客情報管理機構と、
前記アクセス制限情報についての管理をなす端末管理機構とから構成され、
前記業者情報管理機構は、
少なくとも前記管理用途端末に内包される管理用途業者情報登録システムおよびデータベースサーバに設けられる業者情報登録データベースから構成され、前記業者に関する各種情報に関する登録の管理をなす業者情報登録機構と、
前記業者用途端末に内包される業者用途業者情報修正システム、管理用途端末に内包される管理用途業者情報修正システムおよびデータベースサーバに設けられる業者情報修正データベースから構成され、前記業者に関する各種情報に関する修正の管理をなす業者情報修正機構と、
前記業者用途端末に内包される業者用途業者情報検索システム、管理用途端末に内包される管理用途業者情報検索システムおよびデータベースサーバに設けられる業者情報検索データベースから構成され、前記業者に関する各種情報に関する検索の管理をなす業者情報検索機構とからなり、
前記顧客情報管理機構は、
前記業者用途端末に内包される業者用途顧客情報登録システム、管理用途端末に内包される管理用途顧客情報登録システムおよびデータベースサーバに設けられる顧客情報登録データベースから構成され、前記顧客に関する各種情報に関する登録の管理をなす顧客情報登録機構と、
前記業者用途端末に内包される業者用途顧客情報修正システム、管理用途端末に内包される管理用途顧客情報修正システムおよびデータベースサーバに設けられる業者情報修正データベースから構成され、前記顧客に関する各種情報に関する修正の管理をなす顧客情報修正機構と、
少なくとも前記管理用途端末に内包される管理用途顧客情報検索システムおよびデータベースサーバに設けられる顧客情報検索データベースから構成され、前記顧客に関する各種情報に関する検索の管理をなす顧客情報検索機構とからなり、
前記端末管理機構は、
前記業者用途端末に内包される業者用途端末管理システム、管理用途端末に内包される管理用業者用途端末管理システムおよびデータベースサーバに設けられる業者用途端末アクセス制限情報管理データベースから構成され、前記アクセス制限情報についての管理をなす業者用途端末管理機構を備え、
前記業者情報管理機構、顧客情報管理機構および端末管理機構で、夫々共有される前記業者に関する各種情報、顧客に関する各種情報およびアクセス制限情報を常に最新状態に保つようにしたことを要旨とする。
【手続補正２９】
【補正対象書類名】明細書
【補正対象項目名】００３７
【補正方法】変更
【補正の内容】
【００３７】
従って、請求項２に係る発明によれば、あらゆる動物に関するサービス利用についての利便を図り得る有益な情報を、総合的にかつリアルタイムに顧客に提供することができる。また本発明に係る対動物サービス適用システムを利用することで、顧客による業者の利用が促進されるので、該業者は利益向上をなし得る。更に、管理者による統合的な管理により、効率的な運用が可能となる。
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】変更
【補正の内容】
【００４４】
前記課題を克服し、所期の目的を達成するため、請求項３に記載の発明は、
動物についての各種サービスを提供する業者の使用に供され、該業者に関する各種情報に関する少なくとも修正および検索について入出力および該サービスを受ける顧客に関する各種情報に関する少なくとも登録および修正についての入出力をなす業者用途端末、該顧客の使用に供され、該業者に関する各種情報に関する少なくとも検索についての入出力および顧客に関する各種情報に関する少なくとも修正についての入出力をなす顧客用途端末、該業者に関する各種情報および顧客に関する各種情報を管理する管理者の使用に供され、前記業者用途端末および／または顧客用途端末の該業者に関する各種情報および顧客に関する各種情報へのアクセス制限に関するアクセス制限情報を管理すると共に、業者に関する各種情報に関する少なくとも登録、修正および検索についての入出力および顧客に関する各種情報に関する少なくとも登録、修正および検索ついての入出力をなす管理用途端末、該業者に関する各種情報、顧客に関する各種情報およびアクセス制限情報を蓄積するデータベースサーバ並びにこれらの間で特定回線を介して相互に、該業者に関する各種情報、顧客に関する各種情報およびアクセス制限情報の交換をなし得るコンピュータネットワークと、
前記業者用途端末に内包される業者用途業者関連システム、顧客用途端末に内包される顧客用途業者関連システム、管理用途端末に内包される管理用途業者関連システムおよびデータベースサーバに設けられる業者情報管理データベースから構成され、前記業者に関する各種情報についての管理をなす業者情報管理機構と、
前記業者用途端末に内包される業者用途顧客関連システム、顧客用途端末に内包される顧客用途顧客関連システム、管理用途端末に内包される管理用途顧客関連システムおよびデータベースサーバに設けられる顧客情報管理データベースから構成され、前記顧客に関する各種情報についての管理をなす顧客情報管理機構と、
前記業者用途端末に内包される業者用途管理関連システムおよび／または顧客用途端末に内包される顧客用途管理関連システム、管理用途端末に内包される管理用途管理関連システム並びにデータベースサーバに設けられるアクセス制限情報管理データベースから構成され、前記アクセス制限情報についての管理をなす端末管理機構とからなり、
前記業者情報管理機構、顧客情報管理機構および端末管理機構で、夫々共有される前記業者に関する各種情報、顧客に関する各種情報およびアクセス制限情報を常に最新状態に保つようにしたことを要旨とする。
【手続補正３７】
【補正対象書類名】明細書
【補正対象項目名】００４５
【補正方法】変更
【補正の内容】
【００４５】
従って、請求項３に係る発明によれば、あらゆる動物に関するサービス利用についての利便を図り得る有益な情報を、総合的にかつリアルタイムに顧客に提供することができる。また本発明に係る対動物サービス適用システムを利用することで、顧客による業者の利用が促進されるので、該業者は利益向上をなし得る。更に、管理者による統合的な管理により、効率的な運用が可能となる。
【手続補正３８】
【補正対象書類名】明細書
【補正対象項目名】００４６
【補正方法】変更
【補正の内容】
【００４６】
前記課題を克服し、所期の目的を達成するため、請求項４に記載の発明は、
動物についての各種サービスを提供する業者の使用に供され、該業者に関する各種情報に関する少なくとも修正および検索について入出力および該サービスを受ける顧客に関する各種情報に関する少なくとも登録および修正についての入出力をなす業者用途端末、該顧客の使用に供され、該業者に関する各種情報に関する少なくとも検索についての入出力および顧客に関する各種情報に関する少なくとも修正についての入出力をなす顧客用途端末、該業者に関する各種情報および顧客に関する各種情報を管理する管理者の使用に供され、前記業者用途端末および／または顧客用途端末の該業者に関する各種情報および顧客に関する各種情報へのアクセス制限に関するアクセス制限情報を管理すると共に、業者に関する各種情報に関する少なくとも登録、修正および検索についての入出力および顧客に関する各種情報に関する少なくとも登録、修正および検索ついての入出力をなす管理用途端末、該業者に関する各種情報、顧客に関する各種情報およびアクセス制限情報を蓄積するデータベースサーバ並びにこれらの間で特定回線を介して相互に、該業者に関する各種情報、顧客に関する各種情報およびアクセス制限情報の交換をなし得るコンピュータネットワークと、
前記業者に関する各種情報の管理をなす業者情報管理機構と、
前記顧客に関する各種情報の管理をなす顧客情報管理機構と、
前記アクセス制限情報についての制御をなす端末管理機構とから構成され、
前記業者情報管理機構は、
少なくとも前記管理用途端末に内包される管理用途業者情報登録システムおよびデータベースサーバに設けられる業者情報登録データベースから構成され、前記業者に関する各種情報に関する登録についての管理をなす業者情報登録機構と、
少なくとも前記業者用途端末に内包される業者用途業者情報修正システム、管理用途端末に内包される管理用途業者情報修正システムおよびデータベースサーバに設けられる業者情報修正データベースから構成され、前記業者に関する各種情報に関する修正についての管理をなす業者情報修正機構と、
前記業者用途端末に内包される業者用途業者情報検索システム、顧客用途端末に内包される顧客用途業者情報検索システム、管理用途端末に内包される管理用途業者情報検索システムおよびデータベースサーバに設けられる業者情報検索データベースから構成され、前記業者に関する各種情報に関する検索についての管理をなす業者情報検索機構とからなり、
前記顧客情報管理機構は、
少なくとも前記業者用途端末に内包される業者用途顧客情報登録システム、管理用途端末に内包される管理用途顧客情報登録システムおよびデータベースサーバに設けられる顧客情報登録データベースから構成され、前記顧客に関する各種情報に関する登録についての管理をなす顧客情報登録機構と、
前記業者用途端末に内包される業者用途顧客情報修正システム、顧客用途端末に内包される顧客用途顧客情報修正システム、管理用途端末に内包される管理用途顧客情報修正システムおよびデータベースサーバに設けられる業者情報修正データベースから構成され、前記顧客に関する各種情報に関する修正についての管理をなす顧客情報修正機構と、
少なくとも前記管理用途端末に内包される管理用途顧客情報検索システムおよびデータベースサーバに設けられる顧客情報検索データベースから構成され、前記顧客に関する各種情報に関する検索についての管理をなす顧客情報検索機構とからなり、
前記端末管理機構は、
前記業者用途端末に内包される業者用途端末管理システム、管理用途端末に内包される管理用業者用途端末管理システムおよびデータベースサーバに設けられる業者用途端末アクセス制限情報管理データベースから構成され、該業者用途端末に関するアクセス制限情報についての管理をなす業者用途端末管理機構並びに／或いは前記顧客用途端末に内包される顧客用途端末管理システム、管理用途端末に内包される管理用顧客用途端末管理システムおよびデータベースサーバに設けられる顧客用途端末アクセス制限情報管理データベースから構成され、該顧客用途端末に関するアクセス制限情報についての管理をなす顧客用途端末管理機構からなり、
前記業者情報管理機構、顧客情報管理機構および端末管理機構で、夫々共有される前記業者に関する各種情報、顧客に関する各種情報およびアクセス制限情報を常に最新状態に保つようにしたことを要旨とする。
【手続補正３９】
【補正対象書類名】明細書
【補正対象項目名】００４７
【補正方法】変更
【補正の内容】
【００４７】
従って、請求項４に係る発明によれば、あらゆる動物に関するサービス利用についての利便を図り得る有益な情報を、総合的にかつリアルタイムに顧客に提供することができる。また本発明に係る対動物サービス適用システムを利用することで、顧客による業者の利用が促進されるので、該業者は利益向上をなし得る。更に、管理者による統合的な管理により、効率的な運用が可能となる。
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】
【手続補正４４】
【補正対象書類名】明細書
【補正対象項目名】００５２
【補正方法】削除
【補正の内容】
【手続補正４５】
【補正対象書類名】明細書
【補正対象項目名】００５３
【補正方法】削除
【補正の内容】
【手続補正４６】
【補正対象書類名】明細書
【補正対象項目名】００５４
【補正方法】削除
【補正の内容】
【手続補正４７】
【補正対象書類名】明細書
【補正対象項目名】００５５
【補正方法】削除
【補正の内容】
【手続補正４８】
【補正対象書類名】明細書
【補正対象項目名】００５６
【補正方法】削除
【補正の内容】
【手続補正４９】
【補正対象書類名】明細書
【補正対象項目名】００５７
【補正方法】削除
【補正の内容】
【手続補正５０】
【補正対象書類名】明細書
【補正対象項目名】００５８
【補正方法】削除
【補正の内容】
【手続補正５１】
【補正対象書類名】明細書
【補正対象項目名】００５９
【補正方法】削除
【補正の内容】
【手続補正５２】
【補正対象書類名】明細書
【補正対象項目名】００６０
【補正方法】削除
【補正の内容】
【手続補正５３】
【補正対象書類名】明細書
【補正対象項目名】００６１
【補正方法】削除
【補正の内容】
【手続補正５４】
【補正対象書類名】明細書
【補正対象項目名】００６２
【補正方法】削除
【補正の内容】
【手続補正５５】
【補正対象書類名】明細書
【補正対象項目名】００６３
【補正方法】削除
【補正の内容】
【手続補正５６】
【補正対象書類名】明細書
【補正対象項目名】００６４
【補正方法】削除
【補正の内容】
【手続補正５７】
【補正対象書類名】明細書
【補正対象項目名】００６５
【補正方法】変更
【補正の内容】
【００６５】
前記課題を克服し、所期の目的を達成するため、請求項５に記載の発明は、
動物についての各種サービスを提供する業者の使用に供され、該業者に関する各種情報に関する少なくとも修正および検索についての入出力および該サービスを受ける顧客に関する各種情報に関する少なくとも登録および検索についての入出力をなす業者用途端末、該業者に関する各種情報および顧客に関する各種情報を管理する管理者の使用に供され、前記業者用途端末の該業者に関する各種情報および顧客に関する各種情報へのアクセス制限に関するアクセス制限情報を管理すると共に、業者に関する各種情報に関する少なくとも登録、修正および検索についての入出力および顧客に関する各種情報に関する少なくとも登録、修正および検索ついての入出力をなす管理用途端末、該業者に関する各種情報、顧客に関する各種情報およびアクセス制限情報を蓄積するデータベースサーバ並びにこれらの間で特定回線を介して相互に、該業者に関する各種情報、顧客に関する各種情報およびアクセス制限情報の交換をなし得るコンピュータネットワークを使用し、
前記業者用途端末に内包される業者用途業者関連システムまたは管理用途端末に内包される管理用途業者関連システムの何れかを介して、データベースサーバに設けられる業者情報管理データベースに、業者に関する各種情報を入力・蓄積すると共に、必要に応じて該業者用途業者関連システムまたは管理用途業者関連システムを介して夫々の入力元である該業者用途端末または管理用途端末に確認出力可能とすることで、該業者に関する各種情報の管理をなし、リアルタイムに共有し得るようにした業者情報管理工程と、
前記業者用途端末に内包される業者用途顧客関連システムまたは管理用途端末に内包される管理用途顧客関連システムの何れかを介して、データベースサーバに設けられる顧客情報管理データベースに、顧客に関する各種情報を入力・蓄積すると共に、必要に応じて該業者用途顧客関連システムまたは管理用途顧客関連システムを介して夫々の入力元である該業者用途端末または管理用途端末へ確認出力可能とすることで、該顧客に関する各種情報の管理をなし、リアルタイムに共有し得るようにした顧客情報管理工程と、
前記管理用途端末に内包される管理用途管理関連システムを介して、データベースサーバに設けられるアクセス制限情報管理データベースに、業者用途端末に関するアクセス制限情報の入力・蓄積し、必要に応じて該管理用途管理関連システムを介して管理用途端末へ確認出力可能とすると共に、業者用途端末に内包される業者用途管理関連システムを介することで、該アクセス制限情報の管理をなし、リアルタイムに管理し得るようにしたアクセス制限情報管理工程とを、必要に応じて並列的に実行することで、
前記コンピュータネットワークを介して、前記データベースサーバ内に蓄積される業者に関する各種情報、顧客に関する各種情報およびアクセス制限情報を連携的に処理するようにしたことを要旨とする。
【手続補正５８】
【補正対象書類名】明細書
【補正対象項目名】００６６
【補正方法】変更
【補正の内容】
【００６６】
従って、請求項５に係る発明によれば、あらゆる動物に関するサービス利用についての利便を図り得る有益な情報を、総合的にかつリアルタイムに顧客に提供することができる。また本発明に係る対動物サービス適用システムを利用することで、顧客による業者の利用が促進されるので、該業者は利益向上をなし得る。更に、管理者による統合的な管理により、効率的な運用が可能となる。
【手続補正５９】
【補正対象書類名】明細書
【補正対象項目名】００６７
【補正方法】変更
【補正の内容】
【００６７】
前記課題を克服し、所期の目的を達成するため、請求項６に記載の発明は、
動物についての各種サービスを提供する業者の使用に供され、該業者に関する各種情報に関する少なくとも修正および検索についての入出力および該サービスを受ける顧客に関する各種情報に関する少なくとも登録および検索についての入出力をなす業者用途端末、該業者に関する各種情報および顧客に関する各種情報を管理する管理者の使用に供され、前記業者用途端末の該業者に関する各種情報および顧客に関する各種情報へのアクセス制限に関するアクセス制限情報を管理すると共に、業者に関する各種情報に関する少なくとも登録、修正および検索についての入出力および顧客に関する各種情報に関する少なくとも登録、修正および検索ついての入出力をなす管理用途端末、該業者に関する各種情報、顧客に関する各種情報およびアクセス制限情報を蓄積するデータベースサーバ並びにこれらの間で特定回線を介して相互に、該業者に関する各種情報、顧客に関する各種情報およびアクセス制限情報の交換をなし得るコンピュータネットワークを使用し、
少なくとも前記管理用途端末に内包される管理用途業者情報登録システムを介して、データベースサーバに設けられる業者情報登録データベースに、業者に関する各種情報に関する登録内容を入力・蓄積すると共に、必要に応じて該管理用途業者情報登録システムを介して該管理用途端末に確認出力可能とすることで、該業者に関する各種情報に関する登録の管理をなし、リアルタイムに共有し得るようにした業者情報管理工程と、
前記業者用途端末に内包される業者用途業者情報修正システムまたは管理用途端末に内包される管理用途業者情報修正システムの何れかを介して、データベースサーバに設けられる業者情報修正データベースに、業者に関する各種情報に関する修正内容を入力・蓄積すると共に、必要に応じて該業者用途業者情報修正システムまたは管理用途業者情報修正システムを介して夫々の入力元である該業者用途端末または管理用途端末へ確認出力可能とすることで、該業者に関する各種情報に関する修正の管理をなし、修正内容をリアルタイムに共有し得るようにした業者情報修正工程と、
前記業者用途端末に内包される業者用途業者情報検索システムまたは管理用途端末に内包される管理用途業者情報検索システムを介して、データベースサーバに設けられる業者情報検索データベースに、業者に関する各種情報に関する検索内容を入力・蓄積すると共に、その結果を該業者用途業者情報検索システムまたは管理用途業者情報検索システムを介して夫々の入力元である該業者用途端末または管理用途端末へ確認出力可能とすることで、該業者に関する各種情報に関する検索の管理をなし、検索内容をリアルタイムに共有し得るようにした業者情報検索工程と、
前記業者用途端末に内包される業者用途顧客情報登録システムまたは管理用途端末に内包される管理用途顧客情報登録システムを介して、データベースサーバに設けられる顧客情報登録データベースに、顧客に関する各種情報に関する登録内容を入力・蓄積すると共に、必要に応じて該業者用途顧客情報登録システムまたは管理用途顧客情報登録システムを介して夫々の入力元である該業者用途端末または管理用途端末へ確認出力可能とすることで、該顧客に関する各種情報に関する登録の管理をなし、登録内容をリアルタイムに共有し得るようにした顧客情報登録工程と、
前記業者用途端末に内包される業者用途顧客情報修正システムまたは管理用途端末に内包される管理用途顧客情報修正システムを介して、データベースサーバに設けられる顧客情報修正データベースに、顧客に関する各種情報に関する修正内容を入力・蓄積すると共に、必要に応じて該業者用途顧客情報修正システムまたは管理用途顧客情報修正システムを介して夫々の入力元である該業者用途端末または管理用途端末へ確認出力可能とすることで、該顧客に関する各種情報に関する修正の管理をなし、修正内容をリアルタイムに共有し得るようにした顧客情報修正工程と、
少なくとも前記管理用途端末に内包される管理用途顧客情報検索システムを介して、データベースサーバに設けられる顧客情報検索データベースに、顧客に関する各種情報に関する検索内容を入力・蓄積すると共に、その結果を該管理用途顧客情報検索システムを介して該管理用途端末へ確認出力可能とすることで、該顧客に関する各種情報に関する検索の管理をなし、検索内容をリアルタイムに共有し得るようにした顧客情報検索工程と、
前記管理用途端末に内包される管理用業者用途端末管理システムを介して、データベースサーバに設けられる業者用途端末アクセス制限情報管理データベースに、業者用途端末に関するアクセス制限情報を入力・蓄積し、必要に応じて該管理用業者用途端末管理システムを介して該管理用途端末へ確認出力可能とすると共に、該業者用途端末に内包される業者用途端末管理システムを介することで、該アクセス制限情報の管理をなし、リアルタイムに共有し得るようにした業者用途端末アクセス制限情報管理工程とを、必要に応じて並列的に実行することで、
前記コンピュータネットワークを介して、前記データベースサーバ内に蓄積される業者に関する各種情報、顧客に関する各種情報およびアクセス制限情報を連携的に処理するようにしたことを要旨とする。
【手続補正６０】
【補正対象書類名】明細書
【補正対象項目名】００６８
【補正方法】変更
【補正の内容】
【００６８】
従って、請求項６に係る発明によれば、あらゆる動物に関するサービス利用についての利便を図り得る有益な情報を、総合的にかつリアルタイムに顧客に提供することができる。また本発明に係る対動物サービス適用システムを利用することで、顧客による業者の利用が促進されるので、該業者は利益向上をなし得る。更に、管理者による統合的な管理により、効率的な運用が可能となる。
【手続補正６１】
【補正対象書類名】明細書
【補正対象項目名】００６９
【補正方法】削除
【補正の内容】
【手続補正６２】
【補正対象書類名】明細書
【補正対象項目名】００７０
【補正方法】削除
【補正の内容】
【手続補正６３】
【補正対象書類名】明細書
【補正対象項目名】００７１
【補正方法】削除
【補正の内容】
【手続補正６４】
【補正対象書類名】明細書
【補正対象項目名】００７２
【補正方法】削除
【補正の内容】
【手続補正６５】
【補正対象書類名】明細書
【補正対象項目名】００７３
【補正方法】削除
【補正の内容】
【手続補正６６】
【補正対象書類名】明細書
【補正対象項目名】００７４
【補正方法】削除
【補正の内容】
【手続補正６７】
【補正対象書類名】明細書
【補正対象項目名】００７５
【補正方法】変更
【補正の内容】
【００７５】
前記課題を克服し、所期の目的を達成するため、請求項７に記載の発明は、
動物についての各種サービスを提供する業者の使用に供され、該業者に関する各種情報に関する少なくとも修正および検索についての入出力および該サービスを受ける顧客に関する各種情報に関する少なくとも登録および検索についての入出力をなす業者用途端末、該顧客の使用に供され、該業者に関する各種情報に関する少なくとも検索についての入出力および顧客に関する各種情報に関する少なくとも修正についての入出力をなす顧客用途端末、該業者に関する各種情報および顧客に関する各種情報を管理する管理者の使用に供され、前記業者用途端末および／または顧客用途端末の該業者に関する各種情報および顧客に関する各種情報へのアクセス制限に関するアクセス制限情報を管理すると共に、業者に関する各種情報に関する少なくとも登録、修正および検索についての入出力および顧客に関する各種情報に関する少なくとも登録、修正および検索ついての入出力をなす管理用途端末、該業者に関する各種情報、顧客に関する各種情報およびアクセス制限情報を蓄積するデータベースサーバ並びにこれらの間で特定回線を介して相互に、該業者に関する各種情報、顧客に関する各種情報およびアクセス制限情報の交換をなし得るコンピュータネットワークを使用し、
前記業者用途端末に内包される業者用途業者関連システム、顧客用途端末に内包される顧客用途業者関連システムまたは管理用途端末に内包される管理用途業者関連システムの何れかを介して、データベースサーバに設けられる業者情報管理データベースに、業者に関する各種情報を入力・蓄積すると共に、必要に応じて該業者用途業者関連システム、顧客用途業者関連システムまたは管理用途業者関連システムを介して夫々の入力元である該業者用途端末、顧客用途端末または管理用途端末に確認出力可能とすることで、該業者に関する各種情報の管理をなし、リアルタイムに共有し得るようにした業者情報管理工程と、
前記業者用途端末に内包される業者用途顧客関連システム、顧客用途端末に内包される顧客用途顧客関連システムまたは管理用途端末に内包される管理用途顧客関連システムの何れかを介して、データベースサーバに設けられる顧客情報管理データベースに、顧客に関する各種情報を入力・蓄積すると共に、必要に応じて該業者用途顧客関連システム、顧客用途顧客関連システムまたは管理用途顧客関連システムを介して夫々の入力元である該業者用途端末、顧客用途端末または管理用途端末へ確認出力可能とすることで、該顧客に関する各種情報の管理をなし、リアルタイムに共有し得るようにした顧客情報管理工程と、
前記管理用途端末に内包される管理用途管理関連システムを介して、データベースサーバに設けられるアクセス制限情報管理データベースに、前記業者用途端末および／または顧客用途端末に関するアクセス制限情報の入力・蓄積し、必要に応じて該管理用途管理関連システムを介して管理用途端末へ確認出力可能とすると共に、該業者用途端末に内包される業者用途管理関連システムまたは顧客用途端末に内包される顧客用途管理関連システムを介することで、該アクセス制限情報の管理をなし、リアルタイムに管理し得るようにしたアクセス制限情報管理工程とを、必要に応じて並列的に実行することで、
前記コンピュータネットワークを介して、前記データベースサーバ内に蓄積される業者に関する各種情報、顧客に関する各種情報およびアクセス制限情報を連携的に処理するようにしたことを要旨とする。
【手続補正６８】
【補正対象書類名】明細書
【補正対象項目名】００７６
【補正方法】変更
【補正の内容】
【００７６】
従って、請求項７に係る発明によれば、あらゆる動物に関するサービス利用についての利便を図り得る有益な情報を、総合的にかつリアルタイムに顧客に提供することができる。また本発明に係る対動物サービス適用システムを利用することで、顧客による業者の利用が促進されるので、該業者は利益向上をなし得る。更に、管理者による統合的な管理により、効率的な運用が可能となる。
【手続補正６９】
【補正対象書類名】明細書
【補正対象項目名】００７７
【補正方法】変更
【補正の内容】
【００７７】
前記課題を克服し、所期の目的を達成するため、請求項８に記載の発明は、
動物についての各種サービスを提供する業者の使用に供され、該業者に関する各種情報に関する少なくとも修正および検索についての入出力および該サービスを受ける顧客に関する各種情報に関する少なくとも登録および検索についての入出力をなす業者用途端末、該顧客の使用に供され、該業者に関する各種情報に関する少なくとも検索についての入出力および顧客に関する各種情報に関する少なくとも修正についての入出力をなす顧客用途端末、該業者に関する各種情報および顧客に関する各種情報を管理する管理者の使用に供され、前記業者用途端末および／または顧客用途端末の該業者に関する各種情報および顧客に関する各種情報へのアクセス制限に関するアクセス制限情報を管理すると共に、業者に関する各種情報に関する少なくとも登録、修正および検索についての入出力および顧客に関する各種情報に関する少なくとも登録、修正および検索ついての入出力をなす管理用途端末、該業者に関する各種情報、顧客に関する各種情報およびアクセス制限情報を蓄積するデータベースサーバ並びにこれらの間で特定回線を介して相互に、該業者に関する各種情報、顧客に関する各種情報およびアクセス制限情報の交換をなし得るコンピュータネットワークを使用し、
少なくとも前記管理用途端末に内包される管理用途業者情報登録システムを介して、データベースサーバに設けられる業者情報登録データベースに、業者に関する各種情報に関する登録内容を入力・蓄積すると共に、必要に応じて該管理用途業者情報登録システムを介して該管理用途端末に確認出力可能とすることで、該業者に関する各種情報に関する登録の管理をなし、リアルタイムに共有し得るようにした業者情報登録工程と、
少なくとも前記業者用途端末に内包される業者用途業者情報修正システムまたは管理用途端末に内包される管理用途業者情報修正システムの何れかを介して、データベースサーバに設けられる業者情報修正データベースに、業者に関する各種情報に関する修正内容を入力・蓄積すると共に、必要に応じて該業者用途業者情報修正システムまたは管理用途業者情報修正システムを介して夫々の入力元である該業者用途端末または管理用途端末へ確認出力可能とすることで、該業者に関する各種情報に関する修正の管理をなし、修正内容をリアルタイムに共有し得るようにした業者情報修正工程と、
前記業者用途端末に内包される業者用途業者情報検索システム、顧客用途端末に内包される顧客用途業者情報検索システムまたは管理用途端末に内包される管理用途業者情報検索システムを介して、データベースサーバに設けられる業者情報検索データベースに、業者に関する各種情報に関する検索内容を入力・蓄積すると共に、その結果を該業者用途業者情報検索システム、顧客用途業者情報検索システムまたは管理用途業者情報検索システムを介して夫々の入力元である該業者用途端末、顧客用途端末または管理用途端末へ確認出力可能とすることで、該業者に関する各種情報に関する検索の管理をなし、検索内容をリアルタイムに共有し得るようにした業者情報検索工程と、
少なくとも前記業者用途端末に内包される業者用途顧客情報登録システムまたは管理用途端末に内包される管理用途顧客情報登録システムを介して、データベースサーバに設けられる顧客情報登録データベースに、顧客に関する各種情報に関する登録内容を入力・蓄積すると共に、必要に応じて該業者用途顧客情報登録システムまたは管理用途顧客情報登録システムを介して夫々の入力元である該業者用途端末または管理用途端末へ確認出力可能とすることで、該顧客に関する各種情報に関する登録の管理をなし、登録内容をリアルタイムに共有し得るようにした顧客情報登録工程と、
前記業者用途端末に内包される業者用途顧客情報修正システム、顧客用途端末に内包される顧客用途顧客情報修正システムまたは管理用途端末に内包される管理用途顧客情報修正システムを介して、データベースサーバに設けられる顧客情報修正データベースに、顧客に関する各種情報に関する修正内容を入力・蓄積すると共に、必要に応じて該業者用途顧客情報修正システム、顧客用途顧客情報修正システムまたは管理用途顧客情報修正システムを介して夫々の入力元である該業者用途端末、顧客用途端末または管理用途端末へ確認出力可能とすることで、該顧客に関する各種情報に関する修正の管理をなし、修正内容をリアルタイムに共有し得るようにした顧客情報修正工程と、
少なくとも前記管理用途端末に内包される管理用途顧客情報検索システムを介して、データベースサーバに設けられる顧客情報検索データベースに、顧客に関する各種情報に関する検索内容を入力・蓄積すると共に、その結果を該管理用途顧客情報検索システムを介して該管理用途端末へ確認出力可能とすることで、該顧客に関する各種情報に関する検索の管理をなし、検索内容をリアルタイムに共有し得るようにした顧客情報検索工程と、
前記管理用途端末に内包される管理用業者用途端末管理システムを介して、データベースサーバに設けられる業者用途端末アクセス制限情報管理データベースに、業者用途端末に関するアクセス制限情報を入力・蓄積し、必要に応じて該管理用業者用途端末管理システムを介して該管理用途端末へ確認出力可能とすると共に、該業者用途端末に内包される業者用途端末管理システムを介することで、該業者用途端末に関するアクセス制限情報の管理をなし、リアルタイムに共有し得るようにした業者用途端末アクセス制限情報管理工程並びに／或いは前記管理用途端末に内包される管理用顧客用途端末管理システムを介して、データベースサーバに設けられる顧客用途端末アクセス制限情報管理データベースに、顧客用途端末に関するアクセス制限情報を入力・蓄積し、必要に応じて該管理用顧客用途端末管理システムを介して該管理用途端末へ確認出力可能とすると共に、該顧客用途端末に内包される顧客用途端末管理システムを介することで、該顧客用途端末に関するアクセス制限情報の管理をなし、リアルタイムに共有し得るようにした顧客用途端末アクセス制限情報管理工程とを、必要に応じて並列的に実行することで、
前記コンピュータネットワークを介して、前記データベースサーバ内に蓄積される業者に関する各種情報、顧客に関する各種情報およびアクセス制限情報を連携的に処理するようにしたことを要旨とする。
【手続補正７０】
【補正対象書類名】明細書
【補正対象項目名】００７８
【補正方法】変更
【補正の内容】
【００７８】
従って、請求項８に係る発明によれば、あらゆる動物に関するサービス利用についての利便を図り得る有益な情報を、総合的にかつリアルタイムに顧客に提供することができる。また本発明に係る対動物サービス適用システムを利用することで、顧客による業者の利用が促進されるので、該業者は利益向上をなし得る。更に、管理者による統合的な管理により、効率的な運用が可能となる。
【手続補正７１】
【補正対象書類名】明細書
【補正対象項目名】００７９
【補正方法】削除
【補正の内容】
【手続補正７２】
【補正対象書類名】明細書
【補正対象項目名】００８０
【補正方法】削除
【補正の内容】
【手続補正７３】
【補正対象書類名】明細書
【補正対象項目名】００８１
【補正方法】削除
【補正の内容】
【手続補正７４】
【補正対象書類名】明細書
【補正対象項目名】００８２
【補正方法】削除
【補正の内容】
【手続補正７５】
【補正対象書類名】明細書
【補正対象項目名】００８３
【補正方法】削除
【補正の内容】
【手続補正７６】
【補正対象書類名】明細書
【補正対象項目名】００８４
【補正方法】削除
【補正の内容】
【手続補正７７】
【補正対象書類名】明細書
【補正対象項目名】００８５
【補正方法】削除
【補正の内容】
【手続補正７８】
【補正対象書類名】明細書
【補正対象項目名】００８６
【補正方法】削除
【補正の内容】
【手続補正７９】
【補正対象書類名】明細書
【補正対象項目名】００８７
【補正方法】削除
【補正の内容】
【手続補正８０】
【補正対象書類名】明細書
【補正対象項目名】００８８
【補正方法】削除
【補正の内容】
【手続補正８１】
【補正対象書類名】明細書
【補正対象項目名】００８９
【補正方法】削除
【補正の内容】